(57)【要約】      （修正有）【課題】道路脇等に設置される防音壁において、防音パネルを枠体に保持する押縁の落下を防止することができる押縁保持構造を提供する。【解決手段】防音板３は、その左右両側部が支柱２の凹部に係合して防音壁１を構成している。防音板３の防音パネル４の上辺は、上辺横枠押縁６１ａを介して額縁状の枠体５に保持されている。支柱２と防音板３との間に保持部材７の差込片７３を打ち込んで取り付ける一方、上辺横枠押縁６１ａに挿通部材９を取り付ける。保持部材７と挿通部材９とに索条体１０を続けて挿通して、当該索条体１０の端部を保持部材７に係止することで、上辺横枠押縁６１ａの落下を防止する。【選択図】図２
2015151671.tif 000002
【特許請求の範囲】
【請求項１】
一定間隔を空けて設けられた複数の支柱間に防音板が設置されてなる防音壁に用いられ、上記防音板は額縁状の枠体内に防音パネルが配置され、該防音パネルの上下縁部が上記枠体と横枠押縁とで挟み込まれて保持されてなり、該横枠押縁を保持するための押縁保持構造であって、
上記横枠押縁に取り付けられた挿通部材と、
上記挿通部材に挿通させる索条体と、
上記索条体を上記防音壁に保持する保持部材とを備え、
上記保持部材は、上記索条体を係止させる係止具及び上記支柱と上記防音板との間に差し込む差込片を備えることを特徴とする押縁保持構造。
【請求項２】
請求項１において、
上記保持部材の上記差込片には、該防音板と該支柱との間から抜けないようにするための、抜け止部が一体に形成されていることを特徴とする押縁保持構造。
【請求項３】
請求項１または２において、
上記保持部材は複数存していると共に上記支柱を挟んで隣り合うように上記防音壁に取り付けられ、
隣り合う上記保持部材同士が連結手段で連結されていることを特徴とする押縁保持構造。
【請求項４】
請求項３において、
上記連結手段は、棒部材及び該棒部材が挿通される筒状のスペーサーを備えていて、
隣り合う上記保持部材同士が上記スペーサーを挟み込むように連結されていることを特徴とする押縁保持構造。
【発明の詳細な説明】
【技術分野】
【０００１】
本発明は、車両走行による騒音対策のために高速道路等の道路脇等に設けられる防音壁において、一定間隔を空けて立設された支柱間に設けられる防音板の枠体とによって防音パネルを挟み込んで保持する押縁の落下を防止するための押縁保持構造に関するものである。
【背景技術】
【０００２】
従来より、道路を走行する自動車等からの騒音が、道路周辺の住宅等に伝わるのを防止するために、道路脇や中央分離帯等に防音壁を張りめぐらせることが行われている。そして、この防音壁は、道路脇に一定間隔を空けて立設された支柱間に防音板を設置してなり、当該防音板は、矩形状の防音パネルと、それを取り囲む枠体とからなるものが一般的である。そして、防音パネルが枠体から外れて落下しないように、様々な手段が講じられている（例えば特許文献１参照）。
【０００３】
特許文献１では、薄板（防音パネル）の周縁を枠体と押縁とにより挟み込んで、薄板が外れないように保持している。また、この押縁は、ボルトで枠体に取り付けられている。
【先行技術文献】
【特許文献】
【０００４】
【特許文献１】特開平９−８８０１６号公報（特に段落００１４、第３頁、図３）
【発明の概要】
【発明が解決しようとする課題】
【０００５】
ところで、防音壁は、長期にわたって屋外に設置されるものであるため、耐久性の向上が強く求められている。
【０００６】
しかし、上記特許文献１によると、押縁は枠体にボルトで取り付けられているだけであり、振動や風等により防音壁が揺れを繰り返すことでボルトが緩んだり、錆や腐食等によって押縁やボルトが劣化すると、押縁が外れて落下するおそれがある。さらに、押縁が外れると、薄板（防音パネル）のがたつきや落下等が懸念される。
【０００７】
本発明はかかる点に鑑みてなされたものであり、その目的とするところは、押縁の落下を防止するための押縁保持構造を提供することにある。
【課題を解決するための手段】
【０００８】
上記の目的を達成するために、この発明では、押縁に取り付けた索条体を防音壁に保持させることで、押縁の落下を防止するようにした。
【０００９】
具体的には、第１の発明では、一定間隔を空けて設けられた複数の支柱間に防音板が設置されてなる防音壁に用いられ、上記防音板は額縁状の枠体内に防音パネルが配置され、該防音パネルの上下縁部が上記枠体と横枠押縁とで挟み込まれて保持されてなり、該横枠押縁を保持するための押縁保持構造が前提である。そして、上記横枠押縁に取り付けられた挿通部材と、上記挿通部材に挿通させる索条体と、上記索条体を上記防音壁に保持する保持部材とを備え、上記保持部材は、上記索条体を係止させる係止具及び上記支柱と上記防音板との間に差し込む差込片を備えることを特徴とする。
【００１０】
第２の発明では、第１の発明において、上記保持部材の上記差込片には、該防音板と該支柱との間から抜けないようにするための、抜け止部が一体に形成されていることを特徴とする。
【００１１】
第３の発明では、第１または第２の発明において、上記保持部材は複数存していると共に上記支柱を挟んで隣り合うように上記防音壁に取り付けられ、隣り合う上記保持部材同士が連結手段で連結されていることを特徴とする。
【００１２】
第４の発明では、第１ないし第３のいずれか１つの発明において、  上記連結手段は、棒部材及び該棒部材が挿通される筒状のスペーサーを備えていて、隣り合う上記保持部材同士が上記スペーサーを挟み込むように連結されていることを特徴とする。
【発明の効果】
【００１３】
以上説明したように、第１の発明によると、横枠押縁に取り付けられた挿通部材に挿通された索条体が、差込片によって防音壁に取り付けられた保持部材に係止されているので、横枠押縁がずれたり外れたりした場合に落下することを防止できる。また、保持部材は差込片を支柱と防音板との間に差し込んで取り付けるので、組付性に優れ、特に施工済みである既存の防音壁に取り付けやすい。
【００１４】
第２の発明によると、差込片に形成された抜け止部によって、保持部材の抜け落ちを効果的に防止できる。
【００１５】
第３の発明によると、索条体は、防音板の両側部において、隣り合う２つの保持部材で各々保持されることとなるので、横枠押縁がずれたり外れたりした場合に落下することをより効果的に防止できる。
【００１６】
第４の発明によると、隣り合う保持部材同士が棒部材及びスペーサーを備えた連結手段によって支柱を挟むように連結されているため、防音壁への取付性が安定する。また、スペーサーの介在によって過度な挟み込みが抑制される。
【図面の簡単な説明】
【００１７】
【図１】図１は、本発明の実施形態にかかる押縁保持構造を適用した防音壁を道路側から見た平面図である。
【図２】図２は、図１の一点鎖線で囲んだＡ部の部分拡大斜視図である。
【図３】図３は、本発明の実施形態にかかる押縁保持構造の分解斜視図である。
【図４】図４は、図１のＢ−Ｂ線断面図である。
【図５】図５は、図１のＣ−Ｃ線断面図である。
【発明を実施するための形態】
【００１８】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００１９】
（実施形態）
防音壁の構成について図１、図２、図４及び図５に基づいて説明する。
【００２０】
図１に示すように、１は高速道路等の道路脇に設置される防音壁である。防音壁１は、一定間隔を空けて立設された支柱２の間に、矩形状の防音板３を上下方向に複数枚並設して構成される。図４に示すように、支柱２はＨ形鋼からなり、支柱２の凹部に防音板３の左右両側部が嵌入されている。防音板３の左右両側部は、一般的に知られているように、バネ板材Ｂを介して支柱２の凹部に保持されている。バネ板材Ｂは、既存のもの（例えば、特開２００４−１９０３６９、特開２０１２−２０４９、特開２００８−１９０２２０、特開２００５−３０７６３２等）が使用され、ここでは詳細な説明は省略する。また、図４に示すように、防音板３の左右両側部と支柱２の凹部との間には、がたつき防止等のためにシール材２０が設けられている。
【００２１】
図１、図２、図４及び図５に示すように、防音板３は、透光性を有する防音パネル４と、該防音パネル４を取り囲む枠体５とを備えている。さらに、図４及び図５に示すように、枠体５にはボルトＢ１及びＢ２によって押縁６が取り付けられ、当該押縁６と枠体５とにより防音パネル４の周縁を挟み込んで保持している。なお、防音パネル４を交換する場合には、ボルトＢ１及びＢ２を緩めて押縁６を取り外し、防音パネル４を枠体５から外す。そして別の防音パネル４あるいは修理した防音パネル４を取り付けるようになっている。このように、防音パネル４の脱着作業が簡単に行えるように、ボルトＢ１及びＢ２で押縁６を枠体５に取り付けて、防音パネル４を保持している。
【００２２】
図４及び図５に示すように、枠体５は、耐食性に優れるステンレス鋼等を用いた中空材からなり、左右方向に延びる横枠５１及び上下方向に延びる縦枠５２とを枠組みして額縁状に構成されている。
【００２３】
図４及び図５に示すように、押縁６は、ステンレス鋼等を用いた中空材からなり、左右方向に延びる横枠押縁６１及び上下方向に延びる縦枠押縁６２とで構成されている。横枠押縁６１及び縦枠押縁６２は、枠体５に防音パネル４を押し付けるように取り付けられる。図４に示すように、横枠押縁６１は、防音パネル４と枠体５とにボルトＢ１を挿通して枠体５の横枠５１に固定されている。図５に示すように、縦枠押縁６２は、ボルトＢ２で枠体５の縦枠５２に固定されている。なお、横枠押縁６１及び縦枠押縁６２の枠体５への固定構造はこの構造に限られるものではなく、例えば、押縁６の横枠押縁６１は、防音パネル４を介さずに枠体５の横枠５１に固定してもよい。
【００２４】
図１及び図２に示すように、各々支柱２及び防音板３の上部には、横枠押縁６１のうち、防音板３の上辺に設けられた上辺横枠押縁６１ａの落下を防止するための押縁保持構造Ｋが、防音壁１の幅方向にわたって設けられている。
【００２５】
押縁保持構造Ｋの詳細について、図１ないし図４に基づいて説明する。
【００２６】
図１及び図２に示すように、押縁保持構造Ｋは、支柱２を挟んで向かい合うように支柱２の左右両側に取り付けられる一対の保持部材７，７と、該一対の保持部材７，７同士を連結する連結手段８と、上辺横枠押縁６１ａに取り付けられる挿通部材９と、該挿通部材９に挿通されて端部が保持部材７に係止される索条体１０とで構成されている。なお、一対の保持部材７，７は支柱を挟んで対称に形成されている。
【００２７】
図２及び図３に示すように、保持部材７は、支柱２と防音板３との間に差し込んで取り付ける取付具７１と、該取付具７１に重ねて設けられ、索条体１０を挿通して保持する索条体保持具（係止具）７６とで構成されている。
【００２８】
取付具７１は、例えばステンレス鋼等金属製の板状部材からなり、図２及び図３に示すように、支柱２の側面に沿う平板面７２と、支柱２と防音板３との間に差し込めるように平板面７２からＬ字形に屈曲した差込片７３とを備えている。平板面７２には、取付具７１を連結手段８と連結するための取付具連結孔７２ａが形成されている。
【００２９】
差込片７３は、図３に示すように先端が尖るように略三角形で、かつ図４に示すように先端の板厚が相対的に薄くなるように形成されている。そのため、支柱２と防音板３との間がわずかであっても差し込みやすい。また、図３に示すように、差込片７３には、防音板３側に向けて切り起こされた切起し片７４が形成されている。詳細は後述するが、当該切起し片７４は、差込片７３を支柱２と防音板３との間に差し込んだときに、取付具７１がこれらの間から抜けないようにする抜け止部として機能する。
【００３０】
図３に示すように、索条体保持具（係止具)７６は、例えばステンレス鋼等の金属製かつ上記取付具７１よりも板厚が厚い矩形状の板状部材からなる。索条体保持具７６には、連結手段８と連結するための保持具連結孔７６ａ、索条体１０を選択的に挿通するための第１挿通孔７６ｂ及び第１挿通孔よりも大径の第２挿通孔７６ｃとが形成されている。当該索条体保持具７６は、上記取付具７１が防音壁１に取り付けられたあとで取付具７１に重ねて設けられる。
【００３１】
上記連結手段８は、支柱２を挟んで設けられた一対の保持部材７，７間に設けられるスペーサー８２と、該スペーサー８２内に挿通して保持部材７，７同士を連結するネジ付棒部材（棒部材）８１と、これらのネジ付棒部材８１を保持部材７，７に締付け固定するナット８３，８３とで構成されている。
【００３２】
スペーサー８２は、金属製で中空円筒状であり、一対の保持部材７，７間に挟み込まれるように、支柱２と略同幅の長さとなっている。そして、その両端の開口部が保持部材７，７の取付具７１，７１に形成された取付具連結孔７２ａ，７２ａ及び索条体保持具７６，７６に形成された保持具連結孔７６ａ，７６ａに整合するように設けられている。
【００３３】
ネジ付棒部材８１は、棒状のボルト（所謂、長ネジ）であり、スペーサー８２の内部に挿通されている。ネジ付棒部材８１は、支柱２の幅よりも長く、取付具連結孔７２ａ，７２ａ、保持具連結孔７６ａ，７６ａを通ってこれらの外側に両端部が突出し、ナット８３，８３で索条体保持具７６，７６に締結固定されている。
【００３４】
挿通部材９は、上辺横枠押縁６１ａに取り付ける取付ボルト９１と、該取付ボルト９１に螺合して索条体１０が挿通される環状のアイナット９２とを備えている。図４に示すように、取付ボルト９１には、上辺横枠押縁６１ａから抜けないように屈曲したボルト（所謂、曲りボルト）が採用されている。
【００３５】
索条体１０は、例えば金属ワイヤ等からなり、上記挿通部材９及び上記保持部材７に挿通されて、防音壁１の幅方向にわたって設けられている。また、防音壁１の側端部においては、図１及び図２に示すように、索条体１０の端部が保持部材７の索条体保持具７６に止め金具１１及び係止ナット１２で係止されて抜け止めされている。
【００３６】
次に、上記構成からなる押縁保持構造Ｋの防音壁１への取り付けについて説明する。
【００３７】
まず、保持部材７の取付具７１の取り付けについて説明する。防音板３の角部近傍において、取付具７１の差込片７３を、支柱２の側部から支柱２と防音板３との間（すなわち、支柱２と枠体５との間）に差し込み、打ち込んで取り付ける。このとき、取付具７１の差込片７３は、先細かつ先端の板厚が薄くなるように形成されているため、支柱２と防音板３との間がわずかであっても差し込みやすくなっている。また、図４に示すように、差込片７３に形成された切起し片（抜け止部）７４が、弾性的に防音板３に圧接するため、取付具７１がずれたり抜け落ちたりすることが防止される。このようにして、支柱２を挟んで隣り合うように、一対の取付具７１，７１を取り付ける。
【００３８】
次に、保持部材７の索条体保持具７６及び一対の保持部材７，７同士を連結する連結手段８の取り付けについて説明する。一対の取付具７１，７１間にスペーサー８２を挟み入れる。このとき、スペーサー８２の両端の各々開口部が、取付具７１，７１の取付具連結孔７２ａ，７２ａの位置に整合するように差し挟む。
【００３９】
そして、一方の取付具７１に、一方の索条体保持具７６を、その保持具連結孔７６ａが取付具連結孔７２ａに整合するように重ねる。それから、ネジ付棒部材８１を、保持具連結孔７６ａ、一方の取付具連結孔７２ａ、スペーサー８２、及び他方の取付具連結孔７２ａに連続して通す。そして、他方の取付具７１に重ねるように、他方の索条体保持具７６の保持具連結孔７６ａをネジ付棒部材８１に挿通する。このように保持部材７，７に挿通したネジ付棒部材８１の両端部は、保持部材７，７の外側に突出している。その突出した両端部をナット８３，８３でそれぞれ外側から締め付ける。このことによって、一対の保持部材７，７が支柱２を両側から押し挟むように連結されるため、防音壁１に振動等が加わった場合であっても左右にずれることなく、取付の安定性を維持できる。一方、一対の保持部材７，７間にはスペーサー８２が介在しているため、過度な締付けが防止されて、保持部材７の変形を抑制することができる。また、相対的に取付具７１の板厚は薄く、索条体保持具７６の板厚は厚く形成されているため、保持部材７の強度を確保しつつ防音壁１に取り付けやすい構造となっている。
【００４０】
次に、取付ボルト９１及びアイナット９２からなる挿通部材９の取り付けについて説明する。上辺横枠押縁６１ａに所定間隔を空けて取付孔６１ｂを開け、該取付孔６１ｂに取付ボルト９１をねじ込んで取り付ける。取付ボルト９１は曲りボルトを採用しているため、上辺横枠押縁６１ａから抜けにくいようになっている。そして、取付ボルト９１にアイナット９２を螺合させて取り付ける。なお、本実施形態では、各々上辺横枠押縁６１ａに２か所ずつ挿通部材９を設けたが、これに限られるものではなく、例えば１か所でもよいし、２か所以上設けてもよい。また、本実施形態ではアイナット９２を採用したが、索条体１０を挿通できるものであればよく、これに限られるものではない。また、取付ボルト９１は、上辺横枠押縁６１ａから抜けないようになっていればよく、曲りボルトではなく他のボルトを用いてもよい。また、挿通部材９は保持部材７よりも先に取り付けておいてもよい。
【００４１】
上記のようにして防音壁１に取り付けられた保持部材７，７及び上辺横枠押縁６１ａに取り付けられた挿通部材９に、索条体１０を挿通する。具体的には、索条体１０を保持部材７，７の第１挿通孔７６ｂ，７６ｂ及び挿通部材９のアイナット９２に続けて挿通し、複数の防音板３の幅方向にわたって索条体１０が張り渡されるように設ける。防音壁１の側端部においては、索条体１０の端部に取り付けられた止め金具１１に係止ナット１２を螺合させて、索条体１０の端部を索条体保持具７６に固定する。
【００４２】
以上説明したように、当該押縁保持構造Ｋによれば、上辺横枠押縁６１ａに取り付けられた挿通部材９に挿通された索条体１０が、防音壁１（支柱２と防音板３との間）に固定された保持部材７に係止されるため、上辺横枠押縁６１ａの落下を効果的に防止できる。また、索条体１０は一対の保持部材７，７に連続して挿通され、すなわち索条体１０が支柱２を挟んで隣り合う２つの保持部材７，７で保持されることとなるため、安定性が向上し、上辺横枠押縁６１ａの落下防止にさらに効果的である。加えて、保持部材７は差込片７３を支柱２と防音板３との間に差し込んで取り付けるので、支柱２に穴開け・溶接等の加工を施すことなく取り付けることができ、特に施工済みである既存の防音壁１への取付性に優れている。
【００４３】
（その他の実施形態）
本実施形態では、押縁保持構造Ｋを防音板３の上辺部に設けるようにしたが、防音板３の下辺部にも設けるようにしてもよい。
【００４４】
また、本実施形態では、保持部材７として、取付具７１と索条体保持具７６とを別体に設けたが、これらを一体として形成してもよい。
【００４５】
また、抜け止部７４は、切起し片として形成したが、これに限られるものではなく、例えば差込片７３を凹凸形状に形成して抜け止めできるようにしてもよい。
【００４６】
また、本実施形態では、第１挿通孔７６ｂ，７６ｂに索条体１０を挿通するようにしたが、第１挿通孔７６ｂよりも大径の第２挿通孔７６ｃ，７６ｃに挿通することもできる。また、一対の索条体保持具７６，７６のうち、一方の索条体保持具７６においては第１挿通孔７６ｂに挿通し、他方の索条体保持具７６においては第２挿通孔７６ｃに挿通することもできる。このように、防音壁１の大きさや索条体１０の太さに応じて、索条体１０を第１挿通孔７６ｂ及び第２挿通孔７６ｃに選択的に挿通させることができるため、汎用性に優れる。
【００４７】
また、索条体１０は、防音壁１（複数の防音板３）の幅方向にわたって設けるようにしたが、横枠押縁６１の落下が懸念される一部分のみに設けてもよい。すなわち、索条体１０の端部の固定箇所は、防音壁１の側端部の保持部材７に限られるものではなく、各々保持部材７に固定することができる。また、索条体１０を複数本用いて、それぞれの端部を固定するようにしてもよい。これらの索条体１０は、第１挿通孔７６ｃ及び第２挿通孔７６ｃに選択的に挿通することができる。例えば、一方の索条体１０を第１挿通孔７６ｂ，７６ｂに挿通し、他方の索条体１０を第２挿通孔７６ｃ，７６ｃに挿通してもよいし、一方の索条体１０を第１挿通孔７６ｂ及び第２挿通孔７６ｃに挿通し、他方の索条体１０を一方の索条体１０と交差するように第２挿通孔７６ｃ及び第１挿通孔７６ｂに挿通してもよい。
【産業上の利用可能性】
【００４８】
本発明は、高速道路等の道路脇等に設けられる防音壁において、防音パネルを枠体に保持する押縁が脱落しないようにするための押縁保持構造に好適である。
【符号の説明】
【００４９】
１      防音壁
２      支柱
３      防音板
４      防音パネル
５      枠体
６      押縁
６１    横枠押縁
６１ａ  上辺横枠押縁
６１ｂ  取付孔
７      保持部材
７１    取付具
７２    平板面
７２ａ  取付具連結孔
７３    差込片
７４    切起し片（抜け止部）
７６    索条体保持具（係止具）
７６ａ  保持具連結孔
７６ｂ  第１挿通孔
７６ｃ  第２挿通孔
８      連結手段
８１    ネジ付棒部材（棒部材）
８２    スペーサー
８３    ナット
９      挿通部材
９１    取付ボルト
９２    アイナット
１０    索条体
１１    止め金具
１２    係止ナット
Ｋ      押縁保持構造
【図１】
2015151671.tif 000003
【図２】
2015151671.tif 000004
【図３】
2015151671.tif 000005
【図４】
2015151671.tif 000006
【図５】
2015151671.tif 000007